(57)【要約】      （修正有）【課題】まつ毛の長さを測るためのまつ毛長さ計測器具を提供する。【解決手段】まつ毛の長さを計測するためのまつ毛長さ計測器具１であって，まつ毛長さ計測器具は，把持部２と，まつ毛の長さを計測するための計測部３とを有しており，計測部は，湾曲部４が形成されるとともに，湾曲部から所定の長さだけ離隔した位置を基点とした目盛り線５が付されている。【選択図】図１
2016085076.tif 000002
【特許請求の範囲】
【請求項１】
まつ毛の長さを計測するためのまつ毛長さ計測器具であって，
前記まつ毛長さ計測器具は，
把持部と，まつ毛の長さを計測するための計測部とを有しており，
前記計測部は，
湾曲部が形成されるとともに，前記湾曲部から所定の長さだけ離隔した位置を基点とした目盛り線を付している，
ことを特徴とするまつ毛長さ計測器具。
【請求項２】
前記まつ毛長さ計測器具は，
前記まつ毛長さ計測器具の使用状態において，前記把持部の上方に前記計測部が位置しており，
前記計測部の湾曲部は，前記把持部とは反対側の外縁部に位置する，
ことを特徴とする請求項１に記載のまつ毛長さ計測器具。
【請求項３】
前記計測部は，前記まつ毛長さ計測器具の利用者が，その使用状態において，前記計測部を透過して目盛り線を視認可能な部材により形成しており，
前記湾曲部以外の前記計測部および／または前記把持部の，外縁部分付近の一部または全部を着色している，
ことを特徴とする請求項１または請求項２に記載のまつ毛長さ計測器具。
【請求項４】
前記計測部の目盛り線の端付近には目盛りの数値を付しており，
前記数値は，
前記目盛り線の一端付近において通常状態で付しており，他の一端付近において左右反転状態で付している，
ことを特徴とする請求項１から請求項３のいずれかに記載のまつ毛長さ計測器具。
【発明の詳細な説明】
【技術分野】
【０００１】
本発明は，まつ毛の長さを測るためのまつ毛長さ計測器具に関する。
【背景技術】
【０００２】
近年，美容分野では，まつ毛に注目が集まっており，長いまつ毛が好まれるようになっている。そのため，まつ毛の長さを長く見せるため，従来から利用されているマスカラのほか，付けまつ毛，まつ毛エクステンションが用いられるようになっている。さらに，まつ毛を長く成長させるための健康サプリメントも販売されている。
【０００３】
まつ毛を長く成長させるための健康サプリメントを用いた場合，まつ毛の長さを伸ばすことができる場合がある。しかしまつ毛はもともと極端に長くなるものではなく，ミリ単位での成長であることから，鏡でまつ毛を見ただけではその効果を実感することが容易ではない。そのため，まつ毛の長さが伸びたことを客観的に把握するためのまつ毛長さ計測器具が求められている。
【０００４】
また，付けまつ毛やまつ毛エクステンションを用いる場合，もともと生えているまつ毛の長さ，太さによって，利用できる付けまつ毛やまつ毛エクステンションに制限がある。そのためこの観点からも，まつ毛の長さを客観的に把握するためのまつ毛長さ計測器具が求められている。
【０００５】
そこで特許文献１に示すように，まつ毛の長さを計測する器具が存在する。
【先行技術文献】
【特許文献】
【０００６】
【特許文献１】特開２００９−４５２３０号公報
【発明の概要】
【発明が解決しようとする課題】
【０００７】
特許文献１の器具の場合，その器具の湾曲部の端部を基点（目盛りが０の位置）として目盛りが設定されている。そのため，正確に測定するためには，まつ毛の根元に湾曲部をあてなければならない。まつ毛の長さはもともと長いものではないため，１ミリメートルの誤差でも大きい誤差と評価されるから，目盛りの基点をどこにするかは非常に重要な問題である。
【０００８】
しかし，図３（Ｃ）に示すように，まつ毛の根本付近はカールもしており，まつ毛の根元を，器具の湾曲部で押さえつけて計測を行うことは容易ではない。そのため，器具の湾曲部を目盛りの基準，すなわち湾曲分の端部を０としている特許文献１の場合には，まつ毛の長さを正確に計測することが容易ではない。
【課題を解決するための手段】
【０００９】
本発明者は上記課題に鑑み，従来よりも正確にまつ毛の長さを計測することができるまつ毛長さ計測器具を発明した。
【００１０】
第１の発明は，まつ毛の長さを計測するためのまつ毛長さ計測器具であって，前記まつ毛長さ計測器具は，把持部と，まつ毛の長さを計測するための計測部とを有しており，前記計測部は，湾曲部が形成されるとともに，前記湾曲部から所定の長さだけ離隔した位置を基点とした目盛り線を付している，まつ毛長さ計測器具である。
【００１１】
本発明のように構成することで，まつ毛の根元よりも上側から計測部の面で押さえつけることとなるので，まつ毛を根元からしっかり押さえることができ，従来のまつ毛の長さを計測する計測器具よりも正確に，まつ毛の長さを計測することができる。
【００１２】
上述の発明において，前記まつ毛長さ計測器具は，前記まつ毛長さ計測器具の使用状態において，前記把持部の上方に前記計測部が位置しており，前記計測部の湾曲部は，前記把持部とは反対側の外縁部に位置する，まつ毛長さ計測器具のように構成することができる。
【００１３】
従来のまつ毛の長さの計測器具は，横方向に把持する構造となっている。しかし，横方向に把持する計測器具の場合，まつ毛の生えたまぶたに計測器具を，右または左のいずれかの方向から押し当てることとなる。その場合，目盛りが付された面に，均一に力が働かず，把持部のある側に強い力がかかり，把持部とは反対側にかかる力は弱くなってしまう。そのため，まつ毛の生えたまぶたに均一に押し当てることができず，いずれかの側が浮いてしまいやすい。そのため，正確にまつ毛の長さを計測することが容易ではなかった。
【００１４】
しかし本発明のように，縦方向に把持し，まつ毛の生えたまぶたに押圧する計測部の湾曲部を把持部とは反対側に設ける構造とすることで，まつ毛長さ計測器具をまぶたに押圧する際に左右均一に力を働かせることができる。そのため，上述のように，いずれかの側が浮いてしまうということがなく，容易に，従来よりも正確にまつ毛の長さを計測することが可能となる。
【００１５】
上述の発明において，前記計測部は，前記まつ毛長さ計測器具の利用者が，その使用状態において，前記計測部を透過して目盛り線を視認可能な部材により形成しており，前記湾曲部以外の前記計測部および／または前記把持部の，外縁部分付近の一部または全部を着色している，まつ毛長さ計測器具のように構成することができる。
【００１６】
一人でまつ毛の長さを計測する場合，目盛り線を鏡に映してそれを読み取ることとなる。その場合，目盛り線を視認するためには，計測部を透過して目盛りを視認可能としておくことがよい。しかしそのような部材を用いた場合，まつ毛長さ計測器具を机などに載置していると，まつ毛長さ計測器具とそれを載置している机などとの色が同化しやすくなり，まつ毛長さ計測器具を発見しにくくなる。そこで，少なくとも計測部の湾曲部以外の一部分を着色することで，計測部の外縁を明確に認識可能とさせると，まつ毛長さ計測器具の取り扱いの利便性を向上させることができる。
【００１７】
上述の発明において，前記計測部の目盛り線の端付近には目盛りの数値を付しており，前記数値は，前記目盛り線の一端付近において通常状態で付しており，他の一端付近において左右反転状態で付している，まつ毛長さ計測器具のように構成することができる。
【００１８】
まつ毛の長さを計測する場合，鏡に映すことで一人でも行えるし，別の人に目盛りを読み取ってもらっても良い。そのため，いずれの用途にも耐えるよう，目盛りの数値は，通常状態と左右反転状態の２通りで付しているとよい。
【発明の効果】
【００１９】
本発明のまつ毛長さ計測器具によって，従来よりも正確にまつ毛の長さを計測することができる。
【図面の簡単な説明】
【００２０】
【図１】本発明のまつ毛長さ計測器具の六面図である。
【図２】本発明のまつ毛長さ計測器具の透明部分を示す参考図である。
【図３】まつ毛長さ計測器具の利用者の顔およびまつ毛付近の図を示す。
【図４】従来の計測器具を用いてまつ毛の長さを計測するときの計測状態を模式的に示す図である。
【図５】本発明のまつ毛長さ計測器具を用いてまつ毛の長さを計測するときの計測状態を模式的に示す図である。
【図６】通常通り表示した目盛りの数値と，左右反転した目盛りの数値とを表示したまつ毛長さ計測器具の正面図である。
【図７】本発明のまつ毛長さ計測器具の使用状態を示す図である。
【図８】本発明のまつ毛長さ計測器具の別の実施態様の六面図である。
【図９】本発明のまつ毛長さ計測器具を用いて上まつげの長さを計測する場合の使用状態を示す図である。
【発明を実施するための形態】
【００２１】
本発明のまつ毛長さ計測器具１（以下，「計測器具１」という）を図１に示す。図１（Ａ）は計測器具１の正面図であり，図１（Ｂ）は計測器具１の背面図であり，図１（Ｃ）は計測器具１の平面図であり，図１（Ｄ）は計測器具１の底面図であり，図１（Ｅ）は計測器具１の右側面図である。なお，計測器具１の左側面図は図１（Ｅ）と同一なので省略する。
【００２２】
計測器具１は，計測器具１を把持する把持部２と，まつ毛の長さを計測するための目盛り線５が付された計測部３とから構成される。把持部２は，計測器具１の利用者が把持可能なように，略長方形の形状をしている。また，本発明の計測器具１は，計測器具１を縦方向に使用できるように，使用状態において，把持部２の短辺が水平方向，長辺が垂直方向となるように形成される。
【００２３】
把持部２の一方の短辺には，計測部３が接しており，把持部２と計測部３とは一体的に形成されていることが好ましい。
【００２４】
計測部３は，把持部２の反対側に，まぶたの形状に沿った（略円形または略楕円形の中心点方向への）湾曲部４が形成されている。また計測部３のまぶたと接する湾曲部４以外の外縁部分の形状は，図１では略楕円形状の場合を示しているが，その形状には限定がなく，略矩形などであってもよい。
【００２５】
計測部３は，計測器具１の利用者が，計測部３を透過して，鏡に映った目盛り線５を視認することができる部材，たとえば透明な部材で形成されている。この部材としては，たとえばプラスチックなどがあるが，それに限定されるものではない。把持部２と計測部３とを一体的に形成した場合には，把持部２と計測部３がともに透明な部材によって構成される。これを模式的に示すのが図２である。図２のうち，斜線を付した部分が透明部分である。
【００２６】
計測部３にはまつ毛の長さを計測するための目盛り線５が付されている。目盛り線５は印刷されていてもよいし，シールなどで貼付されていてもよいし，あるいは計測部３に刻まれていてもよい。目盛り線５の基点６１は，計測部３における湾曲部４から所定の長さだけ離隔した位置とする。たとえば，湾曲部４から，まぶたの厚さである概略１ミリメートル程度離隔した位置を目盛り線５の基点６１とすることが好ましい。
【００２７】
図３に計測器具１の利用者の顔およびまつ毛付近の図を示す。図３（Ａ）が利用者の顔の図，図３（Ｂ）が図３（Ａ）のＢ付近のまつ毛の生え方の拡大図，図３（Ｃ）が図３（Ａ）のＢ付近のまつ毛の生え方の拡大断面図である。
【００２８】
まつ毛の長さを正確に計測するためには，まつ毛を根元からしっかり押さえる必要がある。しかし図３（Ｃ）から明らかなように，まつ毛の根元部分はまぶたの影響もあり，カールしている。
【００２９】
目盛り線５の基点６１が計測部３における湾曲部４であるとすると，湾曲部４をまつ毛の根元にあてて計測をしなければならない。しかし，湾曲部４をまつ毛の根元にあてることは容易ではないし，また，計測部３の外縁部には力がかかりにくいため，まつ毛の根元部分をしっかり押さえることができない。そのため，まつ毛の長さを正確に計測することができない。目盛り線５の基点６１が計測部３における湾曲部４である場合の計測器具１を用いて計測するときの，計測状態を図４に示す。図４（Ａ）が計測状態の正面図であり，図４（Ｂ）が計測状態の断面図である。
【００３０】
また，図５に，本発明の計測器具１を用いてまつ毛の長さを計測するときの計測状態を模式的に示す。図５（Ａ）が計測状態の正面図であり，図５（Ｂ）が計測状態の断面図である。本発明の計測器具１のように，目盛り線５の基点６１を計測部３における湾曲部４から所定間隔だけ離隔した位置とすると，まつ毛の根元をその上側の位置から計測部３の面で押さえることができる。そのため，まつ毛を根元から押さえつけて計測することができる。
【００３１】
計測部３における目盛り線５は所定間隔，たとえば１ミリメートル，０．５ミリメートル単位ごとに付されており，湾曲部４の形状に平行に付されている。さらに，所定の基準単位（たとえば５ミリメートル単位）ごとに，それ以外の目盛り線５とは異なる強調表示を行うと良い。図１では，５ミリメートルごとの目盛り線５を，ほかの目盛り線５よりも太く表示している。
【００３２】
目盛り線５の左および／または右の一端には，目盛り線５に対応する数値６が付されている。この数値は，すべての目盛り線５ではなく，所定の基準単位ごとに付されていても良い。また，目盛り線５の左と右の両端に目盛りの数値６を付す場合，一端の数値は通常通り付し，他端の数値は左右反転させて付してもよい。これを模式的に示すのが図６である。
【００３３】
つぎに本発明の計測器具１の使用態様を説明する。図７に計測器具１を用いて下まつ毛の長さを計測する場合の使用態様を模式的に示す。本発明の計測器具１の利用者は，計測器具１の把持部２を縦方向に把持し，長さを計測したいまつ毛が生えているまぶたに，計測器具１を押圧する。この際に，計測部３に表示される目盛り線５の基点６１をまつ毛の根元に合わせる。そうすると，まつ毛は根元から計測部３の面によってしっかりと押さえつけられてまっすぐになる。そして，計測器具１をまつ毛が生えたまぶたに押圧したまま，鏡に自らの顔を写すことで，鏡に映った計測器具１の目盛り線５を読み取ることができる。また，他の人がいる場合には，反対側から計測器具１の目盛り線５を読み取ってもらう。
【００３４】
鏡に映して目盛り線５を読み取る場合には，目盛りの数値６が自らの顔側に位置するように計測器具１を把持すればよい。また左右が反転した目盛りの数値６が付されている場合には，左右反転した目盛りの数値６が鏡側に位置するように計測器具１を把持すれば良い。さらに，左右の両端に目盛りの数値６が，通常と左右反転の双方が付されている場合には，その方向を気にすることなく把持できる。
【００３５】
なお，図１の計測器具１は，把持部２の外縁部および計測部３の外縁部（湾曲部４以外の外縁部）に着色を施している場合を示している。これは，把持部２および計測部３分の双方が透明で，目盛り線５のみが付されている計測器具１であると，たとえば机の上に計測器具１を載置している場合，その外形がすぐには把握できず，計測器具１の取り扱いに煩わしさが生じるからである。
【００３６】
一方，目盛り線５の部分を除き，把持部２の外縁部，計測部３の外縁部（湾曲部４以外の外縁部）に着色を施さないように構成することもできる。この場合の一例を図８の六面図に示す。図８（Ａ）は正面図であり，図８（Ｂ）は背面図であり，図８（Ｃ）は平面図であり，図８（Ｄ）は底面図であり，図８（Ｅ）は右側面図である。なお，計測器具１の左側面図は図１（Ｅ）と同一なので省略する。
【００３７】
なお，本発明の計測器具１の上述の説明では，下まつ毛の長さを計測する場合を図示したが，上まつ毛の長さを計測する場合でも同様に用いることができる。この場合の計測器具１の使用態様を図９に示す。
【産業上の利用可能性】
【００３８】
本発明のまつ毛長さ計測器具１を用いることによって，従来よりも正確にまつ毛の長さを計測することができる。
【符号の説明】
【００３９】
１：まつ毛長さ計測器具
２：把持部
３：計測部
４：湾曲部
５：目盛り線
６：目盛りの数値
６１：目盛りの基点
【図１】
2016085076.tif 000003
【図２】
2016085076.tif 000004
【図３】
2016085076.tif 000005
【図４】
2016085076.tif 000006
【図５】
2016085076.tif 000007
【図６】
2016085076.tif 000008
【図７】
2016085076.tif 000009
【図８】
2016085076.tif 000010
【図９】
2016085076.tif 000011